(57)【要約】  本発明は、可変の表示形式(外観)を備え、機能する携帯電話の送受話器を販売することができる自動化した小売売店(Kiosk)または自動販売機に関連する。  売店(Kiosk)とは、一般的には、自動化した小売売店(Kiosk)のことを言い、主に、プリペイド方式の携帯電話の送受話器、プリペイド方式の携帯電話機と長距離電話のコーリング・プラン、およびE-Pin、並びにイヤーホン、携帯電話のホルスター、SIMバックアップ装置、およびケーブル等のような、プリペイド方式の無線通信製品やそれに関連するサービスを提供できる。  更に、売店(Kiosk)または自動販売機は、オプションとして、小切手の現金化、プリペイド方式のデビットカード、デビットカードからデビットカードへの資金の送金、およびその他のサービスを含む一連の銀行業務を提供することができる。  広告スクリーンはターゲット化した広告を連続して流すことができるようになっている。  売店(Kiosk)または自動販売機は、表のプレートやハウジングを変更することによって、外観を変えることができるようになっている。  そして、ネットワークを介して無線通信が可能であり、中央管理室から管理できるようになっている。【選択図】  図5A
2010538389.tif 000002
【特許請求の範囲】
【請求項１】
売店(Kiosk)であって、
当該売店(Kiosk)が機能する携帯電話の送受話器を販売するための販売口を備えていることを特徴とする売店(Kiosk)。
【請求項２】
請求項1に記載の売店(Kiosk)であって、
当該売店(Kiosk)がプリペイド方式のE-Pinを販売することを特徴とする当該売店(Kiosk)。
【請求項３】
請求項1に記載の売店(Kiosk)であって、
当該売店(Kiosk)がタッチスクリーンを更に備えていることを特徴とする売店(Kiosk)。
【請求項４】
請求項1に記載の売店(Kiosk)であって、
当該売店(Kiosk)が勘定受け取り部を更に備えていることを特徴とする売店(Kiosk)。
【請求項５】
請求項1に記載の売店(Kiosk)であって、
当該売店(Kiosk)がカード読み取り装置を更に備えていることを特徴とする売店(Kiosk)。
【請求項６】
請求項1に記載の売店(Kiosk)であって、
当該売店(Kiosk)が指紋読み取り装置を更に備えていることを特徴とする売店(Kiosk)。
【請求項７】
請求項1に記載の売店(Kiosk)であって、
当該売店(Kiosk)がカメラを更に備えていることを特徴とする売店(Kiosk)。
【請求項８】
請求項1に記載の売店(Kiosk)であって、
当該売店(Kiosk)がプリペイド方式のデビットカードの販売を含む銀行業務を取り扱う機能を更に備えていることを特徴とする売店(Kiosk)。
【請求項９】
請求項1に記載の売店(Kiosk)であって、
当該売店(Kiosk)が変更可能な表示形式を備えていることを特徴とする売店(Kiosk)。
【請求項１０】
請求項9に記載の売店(Kiosk)であって、
当該売店(Kiosk)が携帯電話のような形状を有することを特徴とする売店(Kiosk)。
【請求項１１】
請求項1に記載の売店(Kiosk)であって、
当該売店(Kiosk)が遠隔地と無線通信するようになっていることを特徴とする売店(Kiosk)。
【請求項１２】
請求項1に記載の売店(Kiosk)であって、
当該売店(Kiosk)が広告スクリーンを更に備えていることを特徴とする売店(Kiosk)。
【請求項１３】
請求項12に記載の売店(Kiosk)であって、
広告が、遠隔地から前記広告スクリーンに送られてくることを特徴とする売店(Kiosk)。
【請求項１４】
売店(Kiosk)であって、
当該売店(Kiosk)が、コンピュータ、タッチスクリーン、クレジットカード読み取り装置、プリペイド方式の携帯電話を販売するための勘定受け取り部を備え、
当該売店(Kiosk)が変更可能な表示形式を有していることを特徴とする売店(Kiosk)。
【請求項１５】
請求項14に記載の売店(Kiosk)であって、
更に、銀行業務を提供できるようにしたことを特徴とする売店(Kiosk)。
【請求項１６】
請求項14に記載の売店(Kiosk)であって、
更に、プリペイド方式のE-Pinを販売できるようにしたことを特徴とする売店(Kiosk)。
【請求項１７】
請求項14に記載の売店(Kiosk)であって、
前記表示形式の少なくとも一つが、携帯電話のような形状を有することを特徴とする売店(Kiosk)。
【請求項１８】
請求項14に記載の売店(Kiosk)であって、
更に、料金の支払い、プリペイド方式のクレジットカード、小切手の現金化、およびデビットカード資金の送金からなるグループから選択される銀行業務を提供できるようにしたことを特徴とする売店(Kiosk)。
【請求項１９】
請求項14に記載の売店(Kiosk)であって、
更に、指紋読み取り装置を備えていることを特徴とする売店(Kiosk)。
【請求項２０】
請求項14に記載の売店(Kiosk)であって、
更に、カメラを備えていることを特徴とする売店(Kiosk)。
【請求項２１】
請求項14に記載の売店(Kiosk)であって、
遠隔地から、表示するための広告を当該売店(Kiosk)へ送信することを特徴とする売店(Kiosk)。
【請求項２２】
自動化された小売販売装置であって、
機能する携帯電話の送受話器を販売し、及び/又は補充するための販売口と、
タッチスクリーンと、
勘定受け取り部と、
カード読み取り装置と、
前記販売口、前記タッチスクリーン、前記勘定受け取り部、および前記カード読み取り装置と電気的に接続されたコンピュータソフトウェアを機能させるコンピュータとを組み合わせて備え、
前記ソフトウェアが、前記タッチスクリーンと前記勘定受け取り部、または支払いのためのカード読み取り装置を使用して、ユーザが前記販売口からプリペイド方式の携帯電話の送受話器を購入できるようにガイドするようになっていることを特徴とする自動化された小売販売装置。
【請求項２３】
請求項22に記載された自動化された小売販売装置であって、
前記ソフトウェアが、更に銀行業務を提供できるようになっていることを特徴とする自動化された小売販売装置。
【請求項２４】
請求項22に記載された自動化された小売販売装置であって、
遠隔地と無線通信できるようになっていることを特徴とする自動化された小売販売装置。
【請求項２５】
請求項22に記載された自動化された小売販売装置であって、
前記販売口を開くことなく商品の補充ができるようになっていることを特徴とする自動化された小売販売装置。
【請求項２６】
請求項22に記載された自動化された小売販売装置であって、
更に、指紋読み取り装置を備えていることを特徴とする自動化された小売販売装置。
【請求項２７】
請求項22に記載された自動化された小売販売装置であって、
更に、カメラを備えていることを特徴とする自動化された小売販売装置。
【請求項２８】
請求項22に記載された自動化された小売販売装置であって、
前記自動化された小売販売装置は、表示するための広告を遠隔地から受け取るようになっていることを特徴とする自動化された小売販売装置。
【発明の詳細な説明】
【技術分野】
【０００１】
本発明は、一般的には、売店(Kiosk)による小売販売の技術分野に関係し、更に詳細には、広告画面と銀行業務を提供できると共に、携帯電話、E-Pins、およびアクセサリ等を販売することができ、かつ可変の表示形式(外観)を備えた、自動化した小売売店(Kiosk)の自動販売機に関連する。
【背景技術】
【０００２】
コーラの販売機やキャンディの販売機等のように、種々の製品を販売する自動販売機が知られている。  また、米国特許公開番号No. 2006/0108414および米国特許No. 7,014,108において、Sorenson他が開示しているような、通話可能時間の決められたテレホンカードを販売する売店や自動販売機がある。  また、銀行業務やATMサービスを提供している多数の売店がある。  一般に、これらの売店は魅力的な店舗として設計されたものでも、売店(Kiosk)の表示形式(外観)を変更できるようにしたものでもなく、長方形のボックスであったり、あるいは単にコンピュータのターミナルとビデオモニターから構成されるものであった。  また、売店(Kiosk)は、もともと購読者との取引に利用されたり、あるいはこのような取引に通話可能時間の決められたテレホンカードの取引を加えたものであった。  このようなものの例は、米国特許公開番号No.2007/0124164において、Grayによって開示されている。  この先行技術としての例において、Grayは、販売される製品に対応させて売店(Kiosk)の外観を作り上げることや、売店(Kiosk)の外観をどのようにして変えるかということについては開示していない。  また、これらの例では、売店(Kiosk)に携帯電話を販売させるようにすることは、何ら開示されていない。
【０００３】
それがどのように見える (例えば、長方形や携帯電話のような形状など) かという点について、それが販売しているものに関連させて顧客の注意を引き、売店(Kiosk)がアクセサリやコーリング・プラン、あるいはE-Pinsと一緒に実際に機能する携帯電話を販売している場所に関連させるために、可変の表示形式(外観)を有する売店(Kiosk)や自動販売機を持つことは有利になる。  このような売店(Kiosk)は、更に、小切手の現金化、現金引き出し、電信送金、料金の決済、およびATMのようなその他の銀行業務を含む標準的な種々の銀行業務を提供することができる。
【発明の概要】
【０００４】
本発明は、機能する携帯電話の送受話器とアクセサリ、インタラクティブな電子電話カードを販売でき、かつオプションとして銀行業務を提供することができると共に、異なった外観または形式を提供できる売店(Kiosk)または自動販売機に関連する。  売店(Kiosk)は、通常、主要な無線機器、アクセサリ、およびそれに関するサービスを提供する自動化された小売の自動販売機になる。  しかし、売店(Kiosk)は従来製品やサービスをも提供できるものである。  
売店(Kiosk)は、通常、プリペイド式の携帯電話の送受話器、携帯電話と長距離電話のコーリング・プラン、E-Pinsとイアーホンのようなアクセサリ、電話用ホルスター、SIMバックアップ用記憶装置、ケーブル、ブルーツース用ヘッドセット等を含めた製品全体とそれに関わるサービスを提供している。  更に、売店(Kiosk)は、オプションとして、小切手の現金化、プリペイド方式のデビットカード、デビットカードからデビットカードへの資金の移動、およびその他のサービスを含む銀行業務を取り揃えて提供している。  プリペイド方式の場合、信用調査や契約、あるいは前受け金等は必要なくなる。  通常、可能な支払い方法には、現金、デビットカード、小切手等がある。  セキュリティの確保は、運転免許証、指紋、あるいは写真を読み取ることによって行われる。  本発明に係る売店(Kiosk)は、通常、ネットワークを通じて無線により通信を行い、中央管理室から管理されるようになっている。  従って、複数の売店(Kiosk)が遠隔地から管理されるようになっている。
【図面の簡単な説明】
【０００５】
本発明に係る実施例は以下の図によって示されている。
【図１】図1は、本発明の一つの実施例の斜視図を示したものである。
【図２Ａ】図2Aは、異なった表示形式を備えた実施例の正面図を示したものである。
【図２Ｂ】図2Bは、異なった表示形式を備えた売店(Kiosk)を示したものである。
【図３】図3は、図1又は図2A、2Bに示す実施例における内部構成の一部を模式的に示したものである。
【図４】図4は、インターネットを使用して管理、支援機能部門と通信している、本発明にかかる売店(Kiosk)のシステムを示したものである。
【図５Ａ】図5Aは、表示方法を現した斜視図を示したものである。
【図５Ｂ】図5Bは、図5Aの表示方法を側面図として示したものである。
【０００６】
ここでは、本発明の理解を促進するために、数点の図やイラストを示したが、本発明の範囲は、これらの図に表わされたものに限定されるものではない。  
【発明を実施するための形態】
【０００７】
本発明は、コーリング・プラン、通話可能時間の決められたテレホンカード、E-Pins、およびアクセサリと、実際に機能する携帯電話を販売する売店(Kiosk)あるいは自動販売機に関する。
【０００８】
このような売店(Kiosk)は、また、交換可能な表示形式を備えており、その交換可能な表示形式によって、売店(Kiosk)の表のプレートやその他の部品を変更することにより、同じ自動販売機が異なったものに見えるようにすることができる。
【０００９】
図1は、携帯電話の特定のタイプのように見える形式1を備えた、本発明の一実施例を示したものである。  主要な特徴点として広告スクリーン2が上げられ、この広告スクリーン2では、通常連続的で、ターゲット化された広告が表示されている。  典型的な売店(Kiosk)では、現金を受け入れることが可能であり、個人的な情報を入力するためのタッチスクリーン4と、実際の携帯電話とそのアクセサリを販売するための自動販売機を備えている。  オプションとしてのカメラ3、指紋読み取り装置5、小切手撮像装置8、勘定受け取り部9、および  キーボード10を備えていることが分かる。  また、売店(Kiosk)は販売エリア11を備えており、ここでは、送受話器とそのアクセサリを販売できるようになっている。  
図2Aを参照すると、売店(Kiosk)は、別のタイプの携帯電話のように見える、異なった表示形式を備えている。
【００１０】
この売店(Kiosk)においても、広告スクリーン2、タッチスクリーンのような入力スクリーン4、キーボード10、カメラ3、指紋読み取り装置5、カード販売機6、小切手撮像装置8、連結されたり離れたりした受領プリンター7、勘定受け取り部9、および携帯電話販売口11を備えている。  図2Bは、図2Aに示す売店(Kiosk)の別の表示形式を示したものである。  図2Aおよび2Bに示す実施例では、上述したリストに、更にオプションとしてのアイテムを加えたり、あるいは一部のアイテムを削除したりすることができる。  例えば、銀行業務のアイテムが必要ない場合には、小切手撮像装置は必要なくなる。  本発明の特定の実施例では、上述したリストのアイテムを種々組合せて提供することができる。  
本発明の売店(Kiosk)または自動販売機は、支払い済みの形式、あるいは、コーリング・プランと一緒に実際に機能する携帯電話を販売するために、全体として独立型のユニットとして機能するようになっている。  GSM形式の携帯電話は、携帯電話を直ぐに使える状態にするためのプログラムされたSIMカードを装着した状態で、装置から出てくるようになっている。  CDMA形式の携帯電話は、通常、販売後に特定の番号に電話をかけることにより、プログラムを書き込むことが必要になっている。  この作業は、購入した後直ぐに、消費者が行う必要がある。  オプションとして、CDMA形式の携帯電話の販売プロセス中に、売店(Kiosk)において、これらの手続きを行うようにすることは、本発明の範囲に含まれるものである。  
本発明の売店(Kiosk)または自動販売機は、更に、SIM読取装置、イヤーホン、ケーブル、電話用ホルスター、ブルーツース用ヘッドセットなどのその他の携帯電話用アクセサリのようなワイヤレスアクセサリを販売するためにも使用することができる。  本発明のある実施例では、包装した薬の販売、銀行業務や、通行料金や駐車違反の罰金等の集金業務、料金の支払い、その他の販売、あるいは資金の収集業務など、消費者にとって興味があるが上記した携帯電話の販売とは関係のないアイテムを取り扱うこともできる。  
特に、本発明にかかる自動化された小売売店(Kiosk)は、プリペイド方式の送受話器の他に、プリペイド方式の携帯電話と長距離電話のコーリング・プラン、E-Pin、および料金の支払い、プリペイド方式のクレジットカード、および小切手の現金化のようなオプションとしての金融サービスを含めた、プリペイド方式の製品およびプリペイド方式のサービスのカテゴリー全体にわたって使用することができる。  小切手の現金化ができれば、支払いを、プリペイド方式のクレジットカードで行なうことができるようになる。  前にも述べたように、本発明の売店(Kiosk)は、プリペイドGSMあるいはプリペイドCDMA形式の送受話器や、イヤーホン、自動車での充電器、皮革製の携帯電話用ホルスター、ブルーツース用アクセサリ、SIMバックアップ用記憶装置などのように、セットになったアクセサリ類を販売することができる。  更に、かかる自動販売機は、一般的に、プリペイド方式の移動電話や10ドル、20ドル、30ドル、50ドル、100ドル、その他の金額単位のE-Pinのような長距離電話サービスをも販売することができる。  更に、オプションとして、新しいデビットカードに対して現金を提供したり、デビットカードからデビットカードへの転送、電気・ガス料金のような公共料金の支払い、およびデビットカードへの移送の確認を行ったりすることができる。  
本発明の特定の実施例においては、ユーザーフレンドリーなタッチスクリーン形式のディスプレイが、ユーザーに対して購入の手続全体を案内できるようになっている。  消費者は、無線送受話器、通信の時間サービス、長距離電話、ローミングサービス、メールサービス、音声メールサービス、発信者番号通知サービス、契約、信用調査、および預かり金の無い場合を除いた後払い方式の転送サービスを含む多種の選択肢の中から選択することができるようになっている。  本発明の売店(Kiosk)では、主に、プリペイド形式のアイテムや物を販売するために使用されるが、標準的なコーリング・プランやそれに係る物を販売するためにもまた使用される。  何れのタイプの販売機であっても、本発明の範囲に含まれるものである。
【００１１】
本発明の重要な特徴点の一つに広告がある。  この広告は、2つの方法によって行なわれる。  第1の広告は自動販売機の外観(表示形式)により行なうものであり、第2の広告は、ループ広告のような有料広告を流し続けることができる広告スクリーンを通じて行なうものである。  第1の広告は、機械の外観や雰囲気を仕立てるために、自動販売機の表のプレートやその他の部品を交換可能にすることによって行なわれる。  同一の売店(Kiosk)が、携帯電話、銀行のATM装置、キャンディの販売機、薬局、あるいはその他の表示形式のものに見えるようにすることができる。  特定のサービス提供者の名前を、変更可能な装置の表のプレートの外側に現すこともできる。  特に、本発明の売店(Kiosk)では、前方から物を入れることが可能な自動販売機を備えるようにすることができる。  遠隔地にあるステーションから、多数の売店(Kiosk)または自動販売機に対して広告を送ることが可能である。  自動販売機の各々は同じ広告を流すこともできるし、異なった自動販売機に異なった広告を送るようにすることもできる。  
図3は、本発明にかかる典型的な売店(Kiosk)において見られる、内部のハードウェアの構成の例をダイヤグラムとして示したものである。  コンピュータ12は、装置を制御すると共に、無線通信インターフェース13を介して電気的に通信することができるようになっており、この無線通信インターフェース13は遠隔地にあるステーションと売店(Kiosk)とが無線で通信できるようになっている。  この無線通信は、ローカル・エリア・ネットワークの中に組み入れられるか、携帯電話の通話によって行なわれるか、あるいはその他の無線通信手段によって行なわれるようになっている。  特定の通信の形態として、売店(Kiosk)はインターネットの入り口であるゲートウェイまで無線で通信し、その後、最終的な目的地までインターネットを使って通信する方式がある。  無線通信が困難な場合には、オプションとして、バックアップ用の固定電話回線が使用される。  
図3に示す売店(Kiosk)または自動販売機は、更に、広告スクリーン2、タッチスクリーン4、指紋読み取り装置5、カメラ3、小切手、免許証撮像装置8、勘定受け取り部9、キーボード10、支払い及びスキャン装置、並びに自動販売機構部11を備えるようにすることもできる。  更に、データ記憶装置19は、販売データや明細書の他に、コンプュータ12のためのプログラムを記憶するようになっている。  自動販売機構部11は、商品の補充ができ、そして/または自動販売機構部11を開くことなく商品の補充ができるようになっている。  このように、自動販売機は外部から保守点検ができるようになっている。  図3に示す売店(Kiosk)は、オプションとしてATM装置を備えるようにすることもできる。  
図4は、必要に応じ、異なった場所との間で、データの送受信を行なうためにインターネットを通じて無線通信する売店(Kiosk)または自動販売機のダイヤグラムを示したものである。  オプションとして、当該通信によって、小切手照合サービス、銀行業務の提供、電話のコーリング・プラン(プリペイド方式ではないコーリング・プラン)の提供が行なわれる。  更に、中央管理部門の中央管理室から売店(Kiosk)の一群を管理するようにすることが望ましい。  このような管理室は、技術者が、例えば、特定の売店(Kiosk)が何時保守点検を必要としているか、あるいは特定の販売アイテムが売り切れているとかを知ることができるようにするために、在庫記録やデータベースをアップデートすると共に、販売状況を追跡することができるようになっている。  図4に示す通信の全ては、無線にて行なわれている。  しかし、最も効率的で、好ましい方法は、公知の技術を使って安全な通信ができるインターネットへのアクセスポイントまでは無線のみ通信することである。  これとは別の好ましい通信方法は、直接、安全な携帯電話を利用することである。  一般に、売店(Kiosk)との間で行なわれる通信の全ては、従来技術である暗号化技術と安全なプロトコルを使用して安全に行なわれるようにする必要がある。  売店(Kiosk)の各々は、オプションとして、バックアップ用の固定電話回線のサービスを受けるようにすることもできる。  この通信は、サプライヤーが好むプロトコル又はフォームに従って通信やサービスを受けることができるようにするために、多くのプロバイダのアプリケーション・プログラム・インターフェース（ＡＰＩ）を通じて行なえるようになっている。  オプションとして、央管理室は、接続された多くの異なった場所に広告を送信することができるようになっている。  これらの異なった場所は、表示するための同じ広告または異なった広告を受信することができるようになっている。  図5Ａ、5Ｂは、表示形式の方法について側方斜視図として示したものである。  売店(Kiosk)は、全ての内部構成部品を内蔵した本体構造20と、変更可能な表示部分を有する取替え可能な表面部材1を備えている。  別の異なった表面部材1を、異なった場所に配置された本体構造20や、異なった自動販売機の本体構造20上に配置することができる。  図5Ａ、5Ｂには、販売口11と広告スクリーン2が示されている。
【００１２】
本発明の理解を助けるために、図と文章にて説明してきた。  本技術の分野に通じた者であれば、本発明の技術的思想から外れることなく、種々の変更や改良が可能である。  このような変更または改良は、本発明の範囲に含まれるものである。  
【図１】
2010538389.tif 000003
【図２Ａ】
2010538389.tif 000004
【図２Ｂ】
2010538389.tif 000005
【図３】
2010538389.tif 000006
【図４】
2010538389.tif 000007
【図５Ａ】
2010538389.tif 000008
【図５Ｂ】
2010538389.tif 000009
【国際調査報告】
2010538389.tif 000010